(57)【要約】【課題】端面基準出力の仕様である画像形成装置においても、中央基準出力同様の出力結果を得ることができるようにする。【解決手段】原稿幅を検出する原稿幅検出手段と、中央基準位置を中心に主走査方向に読み取り幅を設定し、副走査方向に原稿を搬送しながら画像データを読み取るスキャナ部と、読み取った画像データに基づいて記録シートの端部を基準に画像を形成するプロッタ部と、入力及び表示のための操作表示部と、前記操作表示部から画像形成する記録シート幅で読み取りを行う旨の指示入力があったときに、前記原稿幅検出部によって検出された原稿幅を無視して前記画像形成する記録シート幅で読み取りを行わせる（ステップＳ１０５〜Ｓ１０９）エンジン管理部とを備えた。【選択図】図７
2007043552.tif 000002
【特許請求の範囲】
【請求項１】
原稿幅を検出する原稿幅検出手段と、
中央基準位置を中心に主走査方向に読み取り幅を設定し、副走査方向に原稿を搬送しながら画像データを読み取る読み取り手段と、
読み取った画像データに基づいて記録シートの端部を基準に画像を形成する画像形成手段と、
入力及び表示のための操作表示手段と、
前記操作表示手段から画像形成する記録シート幅で読み取りを行う旨の指示入力があったときに、前記原稿幅を検出する手段によって検出された原稿幅を無視して前記画像形成する記録シート幅で読み取りを行わせるシート幅基準設定手段と、
を備えた画像形成装置。
【請求項２】
前記画像読み取り手段によって読み取った画像データに対する変倍処理、及び主走査方向へシフトさせるシフト処理を施す画像処理手段と、
前記シート幅基準設定手段により設定され、記録シート幅に置き換えられた原稿幅に変倍率を乗じた際の中心と原稿台の中心を合わせ、読み取り時に画像データを主走査方向へセンタリングさせるセンタリング手段と、
をさらに備えていることを特徴とする請求項１記載の画像形成装置。
【請求項３】
前記原稿幅検出手段は主走査方向に配設されたセンサにより原稿幅を検出することを特徴とする請求項１記載の画像形成装置。
【請求項４】
前記読み取り手段によって読み取られた画像データを記憶する記憶手段を備えていることを特徴とする請求項１記載の画像形成装置。
【請求項５】
記録シートを収納した複数のトレイを備え、
前記操作表示手段によって選択されたトレイに収納された記録シート情報をエンジン制御部に通知する手段を備えていることを特徴とする請求項１ないし４のいずれか１項に記載の画像形成装置。
【請求項６】
前記通知手段により通知された記録シート情報を前記エンジン制御部で記憶する記憶手段を備えていることを特徴とする請求項５記載の記載画像形成装置。
【請求項７】
前記操作表示手段から設定された前記シート幅基準設定手段の設定情報をエンジン制御部に通知する手段を備えていることを特徴とする請求項１ないし６のいずれか１項に記載の画像形成装置。
【請求項８】
前記操作表示手段からの原稿幅の指定が記録シートのトレイを指定することにより行われることを特徴とする請求項１記載の画像形成装置。
【請求項９】
前記操作表示手段からシート幅基準設定手段の実行の可否を設定することを特徴とする請求項１ないし８のいずれか１項に記載の画像形成装置。
【請求項１０】
前記操作表示手段からシート幅基準設定手段の実行が設定されている場合は、前記原稿幅検出手段で検出した原稿幅を読み取りには使用しないことを特徴とする請求項９記載の画像形成装置。
【請求項１１】
前記操作表示手段からシート幅基準設定手段の実行が設定されていない場合は、前記原稿幅検出手段で検出した原稿幅を使用して読み取りを実行することを特徴とする請求項１記載の画像形成装置。
【請求項１２】
原稿長検出手段をさらに備え、
前記操作表示手段からシート材幅基準設定手段の実行が設定されている場合においても前記原稿長検出手段で検出した原稿長は置き換えないことを特徴とする請求項９記載の画像形成装置。
【請求項１３】
読み取り画像サイズに一致するサイズの記録シートを画像形成する記録シートとして選択する自動用紙選択手段を備え、
前記操作表示手段からの前記自動用紙選択手段と前記シート幅基準読設定手段との同時実行設定を不可とする手段を備えていることを特徴とする請求項９記載の画像形成装置。
【請求項１４】
前記操作表示手段から設定されるシート幅基準設定手段の実行有無と指定したトレイ情報と主走査変倍率とによって主走査方向の読み取り開始位置を設定する手段を備えていることを特徴とする請求項２記載の画像形成装置。
【請求項１５】
前記操作表示手段から設定されるシート幅基準設定手段の実行有無と指定したトレイ情報と主走査変倍率とによって主走査方向への読み取り画像データのシフト量を決定する手段を備えていることを特徴とする請求項２記載の画像形成装置。
【請求項１６】
前記操作表示手段から設定されるシート幅基準設定手段の実行有無と指定したトレイ情報と主走査変倍率とによって主走査先端画像データの削除量を決定する手段を備えていることを特徴とする請求項２記載の画像形成装置。
【請求項１７】
前記操作表示手段から設定されるシート幅基準設定手段の実行有無と指定したトレイ情報と主走査変倍率とによって主走査先端への画像データ追加量を決定する手段を備えていることを特徴とする請求項２記載の画像形成装置。
【請求項１８】
前記操作表示手段からの入力操作により読み取り条件に変化があった場合に前記各手段の処理を実行する実行手段を備えていることを特徴とする請求項１４ないし１７のいずれか１項に記載の画像形成装置。
【発明の詳細な説明】
【技術分野】
【０００１】
本発明は、原稿の読み取りは中央基準で、画像の形成は記録シートの端部を基準にして行う画像形成装置に関する。
【背景技術】
【０００２】
この種の技術として例えば特許文献１あるいは２に記載された発明が公知である。このうち、特許文献１には、原稿画像を回転した状態で転写紙へ複写する動作を適切に行えるようにすることを目的とし、給紙する原稿の原稿給紙方向に対して直交する方向の長さを検知する原稿主走査幅検知手段と、給紙する原稿の原稿給紙方向に対して平行する方向の長さを検知する原稿副走査長検知手段と、給紙した原稿が不定形サイズであることを判断する不定形原稿判断手段と、読み取った原稿画像を記憶する原稿画像記憶手段を備え、前記不定形原稿判断手段により、不定形サイズであると判断された場合、前記原稿副走査長検知手段が検知した原稿副走査長を主走査長として持つ転写紙を選択し、前記原稿画像記憶手段に記憶された原稿画像を９０度回転した状態で、前記選択した転写紙に記録するようにした複写機が開示されている。
【０００３】
また、特許文献２には、不定形原稿の画像データを、指定されたコピー用紙に自動的に全て収まるようにすることを目的とし、サイズ変倍機能を有するデジタル複写機であって、不定形原稿から読み取った原稿画像データに基づいて、前記不定形原稿上の画像領域の最大矩形を抽出する画像領域抽出手段と、指定されたコピー用紙に前記画像領域抽出手段により抽出された画像領域が収まる大きさに画像を変倍する画像変倍手段とを備え、前記不定形原稿の画像データを、指定されたコピー用紙に収まるように前記画像変倍手段により変倍して前記コピー用紙に記録するデジタル複写機が開示されている。
【０００４】
このように原稿のサイズを検知し、検知したサイズを読み取り範囲として読み取り、指定された用紙に画像形成する画像形成装置は公知である。その際、読み取り範囲、読み取り方向、用紙サイズなど同じであれば問題はないが、同じでない場合に対応して前者では回転処理と、後者では変倍処理を行っている。
【特許文献１】特開２００４−２８９２７２号公報
【特許文献２】特開２００４−１１２２４０号公報
【発明の開示】
【発明が解決しようとする課題】
【０００５】
また、前述のように原稿のサイズを検知し、検知したサイズを読み取り範囲として読み取り、指定された用紙に画像形成する際、用紙サイズと原稿サイズが異なる場合に、原稿と用紙とで基準位置が異なることがある。例えば、原稿が中央基準で用紙が端部基準というような場合である。このような場合には、読み取り範囲の端部から画像形成が行われると画像（原稿）の中央と用紙の中央とが合わなくなり、ユーザが意図していない画像が形成されてしまう。特に、原稿サイズが大きい場合には、必要な部分が欠けてしまう可能性がある。
【０００６】
また、定型のサイズにのみ対応させて用紙検知センサが配置されているものでは、不定形のサイズの原稿が原稿読み取り部に載置されたときに、センサの配置位置に原稿が届かないことがあり、このような場合には１サイズ小さな用紙サイズと誤検知してしまうことがある。このような誤検知が発生すると、画像の端部が欠けてしまうことになる。さらに、変倍を伴う場合、基準位置が一致していないと、ずれが変倍率に応じて現出するため、同様の問題が生じる。
【０００７】
すなわち、従来のデジタル複写機などの画像形成装置においては、読み取り画像データの画像編集のため、画像データ端部と転写紙端部を合わせる端面基準出力となっている。そのため、画像データ中央部と転写紙中央部を合わせる中央基準出力のように、画像データを転写紙の中央に転写させることができない。
【０００８】
本発明は、このような従来技術の実情に鑑みてなされたもので、その目的は、端面基準出力の仕様である画像形成装置においても、中央基準出力同様の出力結果を得ることができるようにすることにある。
【課題を解決するための手段】
【０００９】
前記目的を達成するため、第１の手段は、原稿幅を検出する原稿幅検出手段と、中央基準位置を中心に主走査方向に読み取り幅を設定し、副走査方向に原稿を搬送しながら画像データを読み取る読み取り手段と、読み取った画像データに基づいて記録シートの端部を基準に画像を形成する画像形成手段と、入力及び表示のための操作表示手段と、前記操作表示手段から画像形成する記録シート幅で読み取りを行う旨の指示入力があったときに、前記原稿幅を検出する手段によって検出された原稿幅を無視し、言い換えれば検知した原稿幅に関わらず前記画像形成する記録シート幅で読み取りを行わせるシート幅基準設定手段とを備えた画像形成装置を特徴とする。ここでは、例えばシート幅基準設定手段は前記原稿幅検出手段によって検出した原稿幅を前記操作表示手段から指定した記録シートの幅に置き換え、置き換えられた記録シート幅で画像読み取りを行わせている。
【００１０】
第２の手段は、第１の手段において、前記画像読み取り手段によって読み取った画像データに対して変倍処理と、主走査方向へシフトさせるシフト処理を施す画像処理手段と、前記シート幅基準設定手段により設定され、記録シート幅に置き換えられた原稿幅に変倍率を乗じた際の中心と原稿台の中心を合わせ、読み取り時に画像データを主走査方向へセンタリングさせるセンタリング手段とをさらに備えていることを特徴とする。
【００１１】
第３の手段は、第１の手段において、前記原稿幅検出手段は主走査方向に配設されたセンサにより原稿幅を検出することを特徴とする。
【００１２】
第４の手段は、第１の手段において、前記読み取り手段によって読み取られた画像データを記憶する記憶手段を備えていることを特徴とする。
【００１３】
第５の手段は、第１ないし第４のいずれかの手段において、記録シートを収納した複数のトレイを備え、前記操作表示手段によって選択されたトレイに収納された記録シート情報をエンジン制御部に通知する手段を備えていることを特徴とする。
【００１４】
第６の手段は、第５の手段において、前記通知手段により通知された記録シート情報を前記エンジン制御部で記憶する記憶手段を備えていることを特徴とする。
【００１５】
第７の手段は、第１ないし第６のいずれかの手段において、前記操作表示手段から設定された前記シート幅基準設定手段の設定情報をエンジン制御部に通知する手段を備えていることを特徴とする。
【００１６】
第８の手段は、第１の手段において、前記操作表示手段からの原稿幅の指定が記録シートのトレイを指定することにより行われることを特徴とする。
【００１７】
第９の手段は、第１ないし第８のいずれかの手段において、前記操作表示手段からシート幅基準設定手段の実行の可否を設定することを特徴とする。
【００１８】
第１０の手段は、第９の手段において、前記操作表示手段からシート幅基準設定手段の実行が設定されている場合は、前記原稿幅検出手段で検出した原稿幅を読み取りには使用しないことを特徴とする。
【００１９】
第１１の手段は、第１の手段において、前記操作表示手段からシート幅基準設定手段の実行が設定されていない場合は、前記原稿幅検出手段で検出した原稿幅を使用して読み取りを実行することを特徴とする。
【００２０】
第１２の手段は、第９の手段において、原稿長検出手段をさらに備え、前記操作表示手段からシート材幅基準設定手段の実行が設定されている場合においても前記原稿長検出手段にて検出した原稿長は置き換えないことを特徴とする。
【００２１】
第１３の手段は、第９の手段において、読み取り画像サイズに一致するサイズの記録シートを画像形成する記録シートとして選択する自動用紙選択手段を備え、前記操作表示手段からの前記自動用紙選択手段と前記シート幅基準読設定手段との同時実行設定を不可とする手段を備えていることを特徴とする。
【００２２】
第１４の手段は、第２の手段において、前記操作表示手段から設定されるシート幅基準設定手段の実行有無と指定したトレイ情報と主走査変倍率とによって主走査方向の読み取り開始位置を設定する設定手段を備えていることを特徴とする。
【００２３】
第１５の手段は、第２の手段において、前記操作表示手段から設定されるシート幅基準設定手段の実行有無と指定したトレイ情報と主走査変倍率とによって主走査方向への読み取り画像データのシフト量を決定する決定手段を備えていることを特徴とする。
【００２４】
第１６の手段は、第２の手段において、前記操作表示手段から設定されるシート幅基準設定手段の実行有無と指定したトレイ情報と主走査変倍率とによって主走査先端画像データの削除量を決定する決定手段を備えていることを特徴とする。
【００２５】
第１７の手段は、第２の手段において、前記操作表示手段から設定されるシート幅基準設定手段の実行有無と指定したトレイ情報と主走査変倍率とによって主走査先端への画像データ追加量を決定する決定手段を備えていることを特徴とする。
【００２６】
第１８の手段は、第１４ないし第１７のいずれかの手段において、前記操作表示手段からの入力操作により読み取り条件に変化があった場合に前記各手段の処理を実行する実行手段を備えていることを特徴とする。
【００２７】
なお、後述の実施形態において、原稿幅検出手段は第１ないし第１１の原稿幅検知センサＳＮ１〜ＳＮ１１を含む原稿幅検出部１７に、読み取り手段はスキャナ部１４に、画像形成手段は作像部２２及び定着部２３を含むプロッタ部１５に、操作表示手段は操作表示部２４に、シート幅基準設定手段はエンジン管理部１３を含むエンジン制御部１２（ステップＳ１０５〜Ｓ１０９）に、画像処理手段は画像処理部２０に、センタリング手段はエンジン制御部１２（ステップＳ２０８〜Ｓ２１０）、センサは第１ないし第１１の原稿幅検知センサＳＮ１〜ＳＮ１１に、記憶手段はエンジンメモリ部１６に、トレイは転写紙格納トレイ３に、トレイの指定は操作表示部２４のトレイ表示２４ａの選択に、通知する手段はシステム制御部１１及びシステム制御部１１に接続されたバスに、シート幅基準設定手段は操作表示部２４の読み取り幅拡大キー２４ｃに、自動用紙選択手段は自動用紙選択キー２４ｄに、主走査方向の読み取り開始位置を設定する設定手段はエンジン制御部１２（ステップＳ２０６）に、シフト量を決定する決定手段はエンジン制御部１２（ステップＳ２０８）に、主走査先端画像データの削除量を決定する決定手段はエンジン制御部１２（ステップＳ２０７）に、主走査先端への画像データ追加量を決定する決定手段はエンジン制御部１２（ステップＳ２１２）に、各手段の処理を実行する実行手段はエンジン制御部１２（ステップＳ２０２）にそれぞれ対応する。
【発明の効果】
【００２８】
本発明によれば、原稿幅を検出する手段によって検出された原稿幅を無視し、画像形成する記録シート幅で読み取りを行わせるので、端面基準出力の仕様である画像形成装置においても、中央基準出力同様の出力結果を得ることができる。
【発明を実施するための最良の形態】
【００２９】
以下、本発明の実施形態について図面を参照して説明する。
【００３０】
＜第１の実施形態＞
図１は本発明の第１の実施形態に係る画像形成装置の全体構成を示す図である。同図において、画像形成装置１０は、本体上部に操作表示部１、その下側に原稿台２、最下部に転写紙収納トレイ３が設けられ、操作表示部１のさらに上部に原稿の上方配置口４が、原稿台２と転写紙収納トレイ３との間に転写紙の前方配置口がそれぞれ設けられている。
【００３１】
図２は本実施形態に係る画像形成装置１０の電気的構成（制御構成）を示すブロック図である。同図において画像形成装置１０は、システム制御部１１とエンジン制御部１２とから構成され、両者はバスで接続されている。エンジン制御部１２は、エンジン管理部１３、スキャナ部１４、プロッタ部１５及びエンジンメモリ部１６から基本的に構成されている。スキャナ部１４、プロッタ部１５及びエンジンメモリ部１６はエンジン管理部１３にバス接続され、制御上、エンジン管理部１３の下位に位置し、エンジン管理部１３によって制御される。スキャナ部１４の下位には原稿幅検出部１７、原稿長検出部１８、原稿搬送部１９及び画像処理部２０が位置し、それぞれスキャナ部１４に接続されている。プロッタ部１５の下位には画像処理部２０、用紙搬送部２１、作像部２２及び定着部２３が位置し、それぞれプロッタ部１５に接続されている。
【００３２】
システム制御部１１には、操作表示部２４、コピーアプリケーション部２５、スキャナアプリケーション２６、プリンタアプリケーション部２７及びファックスアプリケーション部２８がそれぞれ接続され、各アプリケーションの実行が可能となり、また、操作表示部２４からユーザの入力及びシステム側からの表示が可能となる。
【００３３】
図３は原稿幅検知センサの配置状態を示す図で、これらの原稿幅検知センサＳＮは原稿台２の奥に配置されている。原稿幅検知センサＳＮは光学的センサ、例えば反射式のフォトディフレクタあるいは透過式のフォトインタラプタが使用される。原稿幅検知センサＳＮは図において左側から右側にＳＮ１〜１１の１１個設けられている。原稿検知センサＳＮ１はＢ１Ｔ（Ｂ１縦、以下Ｔは縦を示す。なお、ＢはＪＩＳ−Ｂ系列のサイズを表す。）、ＳＮ２はＢ２Ｔ、ＳＮ３はＢ３Ｔ、ＳＮ４はＢ４Ｔ、ＳＮ５はＡ４Ｔ（ＡはＪＩＳ−Ａ系列のサイズ表す。）、ＳＮ６はＡ３Ｔ、ＳＮ７はＡ２Ｔ、ＳＮ８はＡ１Ｔ、ＳＮ９は幅６６０、ＳＮ１０はＡ０Ｔ、ＳＮ１１は幅９１４の用紙幅の用紙を検知するためのセンサであり、図中参照符号Ｃで示した位置が用紙の中央部である。なお、前記各センサはＳＮ５を除いて用紙搬送方向同一位置に配置され、ＳＮ５だけはほぼ中央に位置していることから他の１０の原稿検知センサＳＮ１〜４，ＳＮ６〜１１よりも用紙搬送方向上流側に配置されて用紙検知センサ（用紙挿入センサ）としても機能している。また、図３中、下側に記してある数字は用紙中央部Ｃからの各センサＳＮの距離をｍｍで表したものである。
【００３４】
図４は原稿を読み取り位置にセットする状態を示す説明図である。同図から分かるように原稿台２の中央基準位置（中央部Ｃに同じ、以下、同一の参照符号を付す）を中心に主走査方向に読み取り幅を設定するため、図４のように原稿６の中央を原稿台２の中央に合うように挿入する。原稿中央を原稿台中央からずらして挿入すると、図３のセンサ配置により、原稿幅を正常に検出することができず、画像欠けとなってしまう。また、図３のセンサ配置により、原稿端面がセンサとセンサ間となような不定形原稿の場合はセンサからオーバーしている部分は通常読み取りモードでは読み取ることができない。
【００３５】
そこで、本実施形態では、操作表示部２４の操作によって基準位置を合わせることができるようにした。図５は操作表示部２４の表示状態を示す図で、中央上部にトレイが４つ並んでおり各[トレイ]キー２４ａの押下で用紙のトレイ、言い換えれば用紙サイズを選択することができる。そこで、本実施形態では、原稿幅をここで指定したトレイの転写紙幅に置き換える。すなわち、用紙幅を原稿幅に置き換えると、
置き換えた原稿幅＝読み取り幅＝転写紙幅
となり、端面基準出力の装置でも中央基準出力と同様の出力結果を得ることが可能となる。
【００３６】
図７はこのときの処理手順を示すフローチャートである。図５の操作表示部２４で選択したトレイ情報は、図２に示したシステム制御部１１を通してエンジン制御部１２に通知される。すなわち、操作表示部（操作パネル）２４のトレイ表示部２４ａから使用する転写紙のトレイが選択されると（ステップＳ１２１）、システム制御部（フローチャートではコントローラと称している）１１からエンジン制御部１２に選択されたトレイ情報が通知される（ステップＳ１２２）。通知されたトレイ情報（転写情報）はエンジン管理部１３からエンジンメモリ部１６に記憶される（ステップＳ１２３）。
【００３７】
一方、原稿読み取りでは、原稿が原稿台にセットされ（ステップＳ１０１）、原稿幅を前記原稿幅検知センサＳＮ１〜１１により原稿幅が検知されると（ステップＳ１０２）、原稿幅から原稿仮サイズを決定する（ステップＳ１０３）。決定された原稿仮サイズはシステム制御部１１を通してエンジン制御部１２に通知される（ステップＳ１０４）。そして、エンジン制御部１２で「読み取り幅拡大」（フローチャートでは転写紙幅基準読み取りと記す）が設定されているか否かが判断され（ステップＳ１０５）、「読み取り幅拡大」が設定されていなければ原稿幅検知結果を原稿仮サイズとし（ステップＳ１０６）、「読み取り幅拡大」が設定されていれば、前記ステップＳ１２３で格納されたエンジンメモリ部から転写紙幅を読み出し、選択されたトレイの転写紙幅を原稿幅とし（ステップＳ１０６−１）、置き換えた原稿幅から原稿仮サイズを決定する（ステップＳ１０６−２）。なお、［読み取り幅拡大］キー２４ｃは図６の操作表示部２４の正面図から分かるように操作表示部２４の右側のブロックに表示される。もし、選択された場合には文字と背景が反転することになる。図６への操作表示部２４の表示変更は、図５の左下にある［セット方向／不定形］キー２４ｂの押下で実行される。この［読み取り幅拡大］キー２４ｃ押下でステップＳ５で肯定判断となる。
【００３８】
原稿仮サイズが決定されると、原稿幅と原稿仮サイズをシステム制御部１１に通知する（ステップＳ１０７）。次いで、システム制御部１１から読み取り開始要求がエンジン管理部１３に出力され（ステップＳ１０８）、スキャナ部１４で読み取りが開始される。その際、ステップＳ１０６で原稿幅検知結果を原稿仮サイズとした場合には、読み取りは読み取った原稿幅が基準となり（ステップＳ１０９−１）、読み取り幅を拡大し、ステップＳ１０６−１，２で転写紙幅を原稿仮サイズに置き換えた場合には、読み取り幅は転写紙幅が基準となる（ステップＳ１０９−２）。また、読み取り長は操作表示部２４で設定された長さとなる（ステップＳ１１０）。そして、原稿の搬送が終了する（ステップＳ１１１）と、エンジン制御部１２は、実原稿長と原稿確定サイズをシステム制御部１１に通知する（ステップＳ１１２）。
【００３９】
図７のフローチャートから分かるように、本実施形態では、システム制御部１１から通知された転写紙情報は、図２のエンジンメモリ部１６に記憶される（ステップＳ１２３）。図５に示した操作表示部２４の図の左下にある［セット方向／不定形］キー２４ｂ押下で図６の表示状態に移行し、ここの［読み取り幅拡大］キー２４ｃ押下で転写紙幅に読み取り幅を置き換えて読み取る転写材幅従順読み取りが選択できる。操作表示部２４の［読み取り幅拡大］キー２４ｃの選択情報は、システム制御部１１を通してエンジン制御部１２に通知される。
【００４０】
操作表示部２４で[読み取り幅拡大]が選択されている場合には、原稿幅検知センサＳＮ１〜１１を使用して検出する原稿幅検出部１７での検出結果を使用せず、エンジンメモリ部１６に記憶されている転写紙幅を使用する（ステップＳ１０５，Ｓ１０６−１，Ｓ１０６−２，Ｓ１０７）。操作表示部２４で[読み取り幅拡大]が選択されていない場合には、原稿幅検出部１７での検出結果を使用し、原稿幅の置き換えは行わない（ステップＳ１０５，Ｓ１０６，Ｓ１０７）。
【００４１】
原稿長については、操作表示部２４での［読み取り幅拡大］設定有無に関わらず、原稿長検出部１８における検出結果をそのまま使用し、原稿長の置換えは行わない（ステップＳ１１１，Ｓ１１２）。
【００４２】
なお、図７のフローチャートには手順として説明されていないが、図５で［自動用紙選択］キー２４ｄが選択され、自動用紙選択が設定された状態で［読み取り幅拡大］キー２４ｃを選択する（図６の状態）と、自動的に［自動用紙選択］は解除され、他のトレイに選択を切り替える。［読み取り幅拡大］が設定されている状態では［自動用紙選択］は半輝度表示とし選択不可能とする。
【００４３】
以上のように本実施形態によれば、以下のような効果を奏する。
【００４４】
１）原稿幅を転写材幅に置き換えることにより読み取り幅と転写幅を等しくしているので、端面基準出力の装置においても中央基準出力同様の出力結果が得ることができる。
【００４５】
２）原稿幅が転写材幅以内であれば不定形原稿を画像欠けが発生することなく読み取ることができ、さらに、原稿挿入位置をずらすことにより任意の位置へ転写させることが容易にできるようになる。
【００４６】
３）操作表示部上で選択したトレイの転写材情報をエンジン制御部が随時取得しているので、常に最新の選択情報を知ることができる。
【００４７】
４）操作表示部上で選択したトレイの転写材情報を取得後にその情報をエンジン制御部で記憶しているので、転写材幅基準読み取りの場合には即時に原稿幅を転写材幅に置き換えることができる。
【００４８】
５）操作表示部上で転写材幅基準読み取りの実行有無を選択可能としているため、端面基準での出力と中央基準出力イメージでの出力とをユーザが目的に合わせて選択することができる。
【００４９】
６）操作表示部上で選択した転写材幅基準読み取りの設定情報をエンジン制御部へ通知しているので、エンジン制御部で原稿幅の置換えの実行有無を判断することができる。
【００５０】
７）操作表示部上で転写材幅基準読み取りを選択している場合は、原稿幅検出結果を使用しないようにしているので、原稿幅に関わらず常に転写材幅で読み取ることができる。
【００５１】
８）操作表示部上で転写材幅基準読み取りを選択していない場合は、原稿幅検出結果を使用しているので、転写材幅に関わらず常に検出した原稿幅で読み取ることができる。
【００５２】
９）操作表示部上での転写材幅基準読み取りの選択有無に関わらず検出した原稿長を置き換えずにそのまま使用しているので、原稿長に変倍率を乗じた長さとロール状の転写材長を同じ長さにカットするシンクロカット処理にも対応ができる。
【００５３】
１０）自動用紙選択と転写材幅基準読み取りとを同時選択不可としているので、読み取り前の設定段階でユーザーが両立不可を知ることができる。
【００５４】
＜第２の実施形態＞
この実施形態は、第１の実施形態に対してさらに変倍が行われる場合の例である。
【００５５】
第１の実施形態における図７のフローチャートを除いて、画像形成装置１０の機械的構成及び電気的構成は同一なので重複する説明は省略し、異なる点について説明する。
【００５６】
本実施形態においては、図５における操作表示部２４の右下部にある［変倍］キー２４ｅ押下で変倍設定画面へ移行し、そこで変倍率を設定する。また、左下部にある［セット方向／不定形］キー２４ｂ押下で図６の表示状態に移行し、ここの［読み取り幅拡大］キー２４ｃ押下で転写紙幅基準読み取りが選択可能となるものである。［読み取り幅拡大］を選択したときは、原稿幅を指定したトレイの転写紙幅に置き換え、さらに変倍率を考慮して読み取り画像データを主走査方向へセンタリングさせることによって端面基準出力の装置でも中央基準出力と同様の出力結果を得ることが可能となる。
【００５７】
図８はこの第２の実施形態における処理手順を示すフローチャートである。同図において、画像処理が開始され（ステップＳ２０１）、設定状態の変更の有無をチェックする（ステップＳ２０２）。設定状態の変更があれば、転写紙基準読み取り、言い換えれば［読み取り幅拡大］キー２４ｃが押下され、［読み取り幅拡大］が設定されているか否かをチェックする（ステップＳ２０３）。もし、設定されていれば、さらに、主走査方向に変倍が設定されているか否かをチェックし（ステップＳ２０４）、設定されていれば転写紙幅基準を考慮して読み取り基準点を計算し（ステップＳ２０５−１）、設定されていなければ読み取り基準点を計算する（ステップＳ２０５−２）。
【００５８】
次いで、主走査読み取り基準点と主走査読み取り開始位置を決定し（ステップＳ２０６）、主走査先端削除量を決定し、削除を実行する（ステップＳ２０７）。そして、読み取りシフト量を画像処理部２０で計算し（ステップＳ２０８）、読み取りシフト量があればシフトを実行し（ステップＳ２１０）、主走査先端追加量として前記シフト量を設定し（ステップＳ２１１−１）、ステップＳ２０９で読み取りシフト量がなければ主走査先端追加量を「０」として（ステップＳ２１１−２）、主走査先端追加量を決定し、追加を実行して（ステップＳ２１２）変倍処理を終了する（ステップＳ２１３）。
【００５９】
シフト量は転写材幅に置き換えた原稿幅に変倍率を乗じた際の中心と原稿台の中心を合わせる量としてステップＳ２０８で算出し、読み取り時に画像データを主走査方向へセンタリングさせる。このように処理することにより変倍も中央基準で行われることになる（図９、不当５７〜５９）。
【００６０】
この実施形態では、図８のフローチャートに示すように［読み取り幅拡大］と主走査方向の変倍率が設定されている場合には、図２のエンジン制御部１２内の画像処理部２０で読み取り基準位置の算出を行う（ステップＳ２０３、Ｓ２０４，Ｓ２０５−１，Ｓ２０６）。
【００６１】
図９は変倍が拡大のときの処理状態を示す説明図である。図９では、原稿台５１、転写紙幅５２、読み取らせる原稿５３の関係を示している。すなわち、原稿台５１に対して操作表示部２４から指定したトレイの転写紙幅が５２であり、そのときの読み取る原稿の幅が５３とする。この原稿５３を転写紙幅基準で読み取らせると、転写紙幅内の原稿外部分は白画像として読み取られ、等倍時では符号５４が読み取り画像データとなる。変倍で拡大を設定している場合には、読み取りデータが転写紙幅５２をオーバして画像データは符号５５のようになり、端面基準の画像形成装置では符号５６が読み取り画像データとなってしまう。ここで、原稿台中心Ｃと拡大後の読み取り画像データの中心が合うように、符号５７で示すように予め読み取り基準点を変更して読み取りを行うと、符号５８で示すように主走査センタリング同様の読み取り画像データを得ることができ、出力結果が符号５９で示すようになる。
【００６２】
［読み取り幅拡大］と主走査方向の変倍率が設定されている場合には、図２のエンジン制御部１２内の画像処理部２０で読み取りシフト量の算出を行う。図８のステップＳ２０８，Ｓ２０９，Ｓ２１０にあたる。
【００６３】
詳細は図１０に示すようになる。図１０は変倍が縮小のときの処理状態を示す説明図である。図１０においても図９と同様に原稿台６１、転写紙幅６２、読み取らせる原稿６３の関係を示している。すなわち、原稿台６１に対して操作表示部２４から指定したトレイの転写紙幅が６２であり、そのときの読み取る原稿の幅が６３とする。この原稿６３を転写紙幅基準で読み取らせると、転写紙幅内の原稿外部分は、白画像として読み取られ、等倍時では符号６４が読み取り画像データとなる。変倍で縮小を設定している場合には、読み取りデータが転写紙幅６２に対して不足し、画像データは符号６５のようになり、端面基準の画像形成装置では符号６６が読み取り画像データとなってしまう。ここで、原稿台中心Ｃと拡大後の読み取り画像データの中心が合うように、符号６７で示すように縮小後の中心差分をシフトさせると、符号６８で示すように主走査センタリング同様の読み取り画像データを得ることができ、出力結果が符号６９で示すようになる。シフト量は図９の場合と同様に転写材幅に置き換えた原稿幅に変倍率を乗じた際の中心と原稿台の中心を合わせる量としてステップＳ２０８で算出し、読み取り時に画像データを主走査方向へセンタリングさせる（図１０、矢印Ｂ）。
【００６４】
読み取りシフトを行った場合には、図１０の符号６８のように主走査先端方向に空白部分ができるため、ここに白データを詰めることにより転写紙幅分の読み取り画像データをコントローラへ転送することができる（ステップＳ２０９，Ｓ２１０，Ｓ２１１−１，２，Ｓ２１２）。
【００６５】
この第２の実施形態では、操作表示部２４の読み取り条件の変更（指定トレイ、主走査変倍率、読みと利幅拡大 など）があった場合にのみ、画像処理部２０の読み取り処理（基準点変更、シフト量変更・主走査先端削除と追加）を行わせ、変更がない場合はスルーさせる（ステップＳ２０２）。
【００６６】
その他、特に説明しない各部は前述の第１の実施形態と同等に構成され、同等に機能する。
【００６７】
以上のように、本実施形態によれば、以下のような効果を奏する。
【００６８】
１）転写材幅基準読み取りで変倍が設定されている場合には、読み取り画像を主走査方向へセンタリングさせることにより、端面基準出力の装置においても中央基準出力同様の出力結果が得ることができる。
【００６９】
２）操作表示部上で選択した転写材幅基準読み取りの設定情報をエンジン制御部へ通知しているので、エンジン制御部の画像処理部で主走査センタリングの実行有無を判断することができる。
【００７０】
３）変倍後の読み取り画像データが指定したトレイの転写材の幅を超える場合に、読み取り基準位置をエンジン制御部の画像処理部内で変更するので、主走査のセンタリングを行うことができる。
【００７１】
４）変倍後の読み取り画像データが指定したトレイの転写材の幅に満たない場合に、読み取り画像データを主走査方向へシフトするので、主走査のセンタリングを行うことができる。
【００７２】
５）読み取り基準位置をエンジン制御部の画像処理部内で変更した場合に、主走査読み取り開始位置に満たない部分の画像データを削除するので、狙いの読み取り画像データをシステム制御部へ転送することができる。
【００７３】
６）エンジン制御部の画像処理部内で読み取り画像データをシフトさせた場合に、シフトにより発生する空白部分に白画像を追加するので、読み取り画像データにゴミ画像を発生させずに、狙いの読み取り画像データをシステム制御部へ転送することができる。
【００７４】
７）操作表示部での読み取り条件に変更がある場合のみ主走査センタリング手段に必要な算出をするので、画像処理にかかる処理時間を短縮することができる。
【図面の簡単な説明】
【００７５】
【図１】本発明の第１の実施形態に係る画像形成装置の全体構成を示す図である。
【図２】第１の実施形態に係る画像形成装置の電気的構成（制御構成）を示すブロック図である。
【図３】原稿幅検知センサの配置状態を示す図である。
【図４】原稿を読み取り位置にセットする状態を示す説明図である。
【図５】操作表示部の表示状態を示す図である。
【図６】図５から読み取り幅拡大キーが表示された表示画面に移行した状態を示す図である。
【図７】第１の実施形態における処理手順を示すフローチャートである。
【図８】第２の実施形態における処理手順を示すフローチャートである。
【図９】拡大変倍時における原稿台、記録紙幅と原稿との関係を示す図である。
【図１０】縮小変倍時における原稿台、記録紙幅と原稿との関係を示す図である。
【符号の説明】
【００７６】
１，２４  操作表示部
２，５１，６１  原稿台
１０  画像形成装置
１１  システム制御部
１２  エンジン制御部
１３  エンジン管理部
１４  スキャナ部
１５  プロッタ部
１６  エンジンメモリ部
１７  原稿幅検出部
１８  原稿長検出部
１９  原稿搬送部
２０  画像処理部
２１  用紙搬送部
２２  作像部
２３  定着部
２４  操作表示部
【図１】
2007043552.tif 000003
【図２】
2007043552.tif 000004
【図３】
2007043552.tif 000005
【図４】
2007043552.tif 000006
【図５】
2007043552.tif 000007
【図６】
2007043552.tif 000008
【図７】
2007043552.tif 000009
【図８】
2007043552.tif 000010
【図９】
2007043552.tif 000011
【図１０】
2007043552.tif 000012